(57)【要約】      （修正有）【課題】設置状態から収納状態への移行を簡単に行えると共に起立状態での収納を可能とする理美容用ワゴン台を提供する。【解決手段】収納部１０と収納部の両側の後方方向から前方方向に配設した２つの前方脚部２０と、収納部の両側の前方方向から後方方向に配設した２つの後方脚部３０と、前方脚部と後方脚部が交差支点部５０で回動自在に軸支し、前方脚部はアーム部４０を介して収納部と回動自在に軸支し、後方脚部は収納部と前方支点部１２で回動自在に軸支し、アーム部はアーム支点部２１と後方支点部で回動自在に軸支し、双方の脚部には屈曲して下方向に延在した屈曲部延在部３４を設ける。【選択図】図３
0003182142.tif 000002
【実用新案登録請求の範囲】
【請求項１】
収納部１０と収納部１０の両側の後方方向から前方方向に配設した２つの前方脚部２０と、収納部１０の両側の前方方向から後方方向に配設した２つの後方脚部３０とを有し、前方脚部２０と後方脚部３０とはそれぞれが交差する点である交差支点部５０で回動自在に軸支し、前方脚部２０はアーム部４０を介して収納部１０と回動自在に軸支するものであり、
後方脚部３０は収納部１０と前方支点部１２で回動自在に軸支し、
前方脚部２０とアーム支点部２１でアーム部４０を軸支しているアーム部４０の他端部は収納部１０の後部支点部１１で回動自在に軸支しており、
前方脚部２０にはワゴン台１の後方方向に屈曲して下方向に延在した屈曲部延在部２４を有し、後方脚部３０にはワゴン台１の前方方向に屈曲して下方向に延在した屈曲部延在部３４を有することを特徴とする理美容用ワゴン台。
【請求項２】
前方脚部２０と後方脚部３０のそれぞれ屈曲部延在部２４、３４の先端にはキャスター２５、３５を有することを特徴とする請求項１記載の理美容用ワゴン台。
【請求項３】
それぞれの前方脚部２０はワゴン台１の後方方向まで延在して連設して、取っ手部２２を構成したことを特徴とする請求項１記載の理美容用ワゴン台。
【請求項４】
前方脚部２０のそれぞれ屈曲部２３同士を横棹部２６で連結し、後方脚部３０のそれぞれの屈曲部３３同士も横棹部３６で連結したことを特徴とする請求項１記載の理美容用ワゴン台。
【請求項５】
横棹部にストッパー３７を有することを特徴とする請求項４記載の理美容用ワゴン台。
【考案の詳細な説明】
【技術分野】
【０００１】
本考案は、理美容用ワゴン台に関し、特に起立状態でコンパクトに収納可能な理美容用ワゴン台に関する。
【背景技術】
【０００２】
従来より、理美容用ワゴン台は理美容院において理美容を行うに際して、その場で理美容用用品や備品を収納しておくことのできるワゴン台であり、本体とその本体に設置している棚やトレイ、引き出し等の収納部を有すると共に移動可能のキャスターを用いたワゴン台が使用されている。
【０００３】
この場合ワゴン台はどうしても、トレイや棚或いは引き出し等の収納部を有することから不使用時にはその置き場所を広く取ることとなっていた。
従って置き場をできる限り狭い範囲で済むように特開２００６-２５５３９９号(特許文献１）に示す理美容用作業台が提唱されている。
【先行技術文献】
【特許文献】
【０００４】
【特許文献１】特開２００６-２５５３９９号
【考案の概要】
【考案が解決しようとする課題】
【０００５】
この様な作業台やワゴンに関しては、一般的に使用時の状態のまま保管されるものであり、複数台をそのまま並べて保管する場合や或いは使用時における位置に常時保管しておくこと即ち置いておくことが一般的である。
これに対して、この置き場の面積をできる限り狭くとどめるための特許文献１は、脚下部重ね空間、前方空間、重ね空間等を有し、台をそれぞれ上下に重ねて保管できる構成を提唱するものである。
【０００６】
従って、上部に順次重ねるものとなり、積み重ねることが必要であると共にその重ね作業や一つずつ取り外すことが必要となることから非常に不便といわざるを得ない。
又少なくとも一つの大のスペースは必要となるものであり、これをこれ以上狭くすることはできない。
従って、より簡単かつ使いやすく場所を取らずに保管できると共に、保管場所もより小さくなる何らかの理美容用ワゴン台の提供が望まれるものである。
【課題を解決するための手段】
【０００７】
以上のように係る課題を見事に解決するため、請求項１に係る考案は収納部と収納部の両側の後方方向から前方方向に設置した２つの前方脚部と、収納部の両側の前方方向から後方方向に設置した２つの後方脚部とを有し、前方脚部と後方脚部とはそれぞれが交差する点である交差支点部で回動自在に軸支し、前方脚部はアーム部を介して収納部と回動自在に軸支し、後方脚部は収納部と前方支点部で回動自在に軸支し、前方脚部とアーム支点部でアーム部を軸支しているアーム部の他端部は収納部の後部支点部で回動自在に軸支しており、前方脚部にはワゴンの後方方向に屈曲して下方向に延在した屈曲部延在部を有し、後方脚部にはワゴンの前方方向に屈曲して下方向に延在した屈曲部延在部を有する理美容用ワゴン台からなり、係る考案によって前記課題を解決できる。
【０００８】
更に請求項２に係る考案のように前方脚部と後方脚部のそれぞれ屈曲部延在部の先端にはキャスターを有する理美容用ワゴン台を用いてもよい。
或いは、請求項３に係る考案のようにそれぞれの前方脚部は該ワゴン台の後方方向まで延在して連設して、取っ手部を構成した理美容用ワゴン台でもよい。
【０００９】
また、請求項４に係る考案のように前方脚部のそれぞれ屈曲部同士を横棹部で連結し、後方脚部のそれぞれの屈曲部同士も横棹部で連結した理美容用ワゴン台を用いてもよく、更には、請求項５に係る考案のように横棹部にストッパーを有する理美容用ワゴン台を用いるものであってもよい。
【考案の効果】
【００１０】
以上のように構成したことから、まず請求項１に係る考案によって交差支点部をもって前方脚部と後方脚部を閉じて収納状態に移行でき、又開くことによって設置状態とすることができる。
この場合、収納部も収納時には脚部に水平方向に移行でき、設置時には地面と平行に台等として使用することができるものとなる。
【００１１】
特に脚部には屈曲延在部を有することから収納状態でそれぞれの脚部を各脚部の設置方向と逆方向に突出することができるものとなり、少なくとも４か所の脚部の屈曲延在部の先端部分により収納時に該ワゴン台を起立状態とすることができる。
【００１２】
従って収納時には場所を取らない狭い範囲に保管できるものとなると共に起立状態での収納を可能とする。
更には脚部を閉じるか或いは開くかによって簡単に収納状態と設置状態との移行を行えるものとなる。
【００１３】
次に請求項２に係る考案によって、キャスターを有することから設置状態での移動を可能とするばかりでなく起立状態の収納時においても、その起立状態のまま移動することができる。
更に請求項３に係る考案によって取っ手部を用いて前方脚部と後方脚部との開閉を簡単に行えることとなると共に、収納時や設置時においての台の移動の便宜が図れる。
【００１４】
又請求項４に係る考案によって横棹部で脚部の強度を増すことができると共に例えば収納状態の位置決めや又収納部の設置等が行える。
或いは請求項５に係る考案のようにすることによりストッパーを配置でき、収納状態のきっちりとした位置決めを行えるものである。
【図面の簡単な説明】
【００１５】
【図１】本考案に係る理美容用ワゴン台の設置状態の一例を示す図
【図２】本考案に係る理美容用ワゴン台の設置状態から収納状態への移行段階の一例を示す図
【図３】本考案に係る理美容用ワゴン台の収納状態の一例を示す図
【図４】本考案に係る理美容用ワゴン台の設置状態の一例を示す図
【考案を実施するための形態】
【００１６】
図１は、本考案に係る理美容用ワゴン台１の斜視図を示す図であり、まず上部に収納部１０であって載置台であるトレイ１００を有すると共にその下部に引き出し部１０１を有している。
該ワゴン台１は後方の両側から前方方向にそれぞれ配設された前方脚部２０を有する。
【００１７】
該前方脚部２０は収納部１０であるトレイ１００の側部のワゴン台後部支点部１１と前方脚部２０の任意位置に設けたアーム支点部２１との間をアーム部４０を介してそれぞれ回動自在に軸支されている。
この場合後部支点部１１において収納部１０であるトレイ１００とアーム部４０との間には若干の間隔を有している。
【００１８】
ワゴン台を設置状態即ち使用可能な開いた状態とした際、前方脚部２０が該位置で位置規制されるものとなる。
本図構成においては該前方脚部２０の一方向がワゴン台の後方方向まで延在すると共にワゴン台の幅方向に延在した上でワゴン台の他側面に設けた他側方にある前方脚部２０と連設している。
【００１９】
このワゴン台後方の両側の前方脚部同士が連設している該連設部分は取っ手２２として機能するものとなる。
更にこの様に構成された前方脚部２０はその先端方向の任意位置でワゴン方向に戻る方向例えば下方方向に屈曲した屈曲部２３を有し、ワゴン後方から前方方向に延在して配置している前方脚部２０がその先端方向において屈曲して更に下方向に延在した屈曲部延在部２４を有する。
【００２０】
従って本図では前方脚部２０の先端は設置状態では地面に対して垂直方向例えば下方方向に延在している屈曲延在部２４を有するものである。
又、該前方脚部２０の屈曲延在部２４の先端にはキャスター２５を有する。
これにより本理美容用ワゴン台の移動を可能とする。
【００２１】
更に該ワゴン台１の前方の両側から後方方向に延在したそれぞれ配設された後方脚部３０を有する。
該後方脚部３０は収納部１０であるトレイ１００の両側部のワゴン台前部支点部１２と後方脚部３０の端部とがそれぞれ回動自在に軸支されている。
従って前方脚部２０はワゴン台１の上部に設置しているトレイ１００の後方から前方方向に配設されており、後方脚部３０はワゴン台１の上部に設置しているトレイ１００の前方から後方方向に配設されているものである。
【００２２】
更にこの様に構成された後方脚部３０はその先端方向の任意位置でワゴン方向に戻る方向例えば下方方向に屈曲した屈曲部３３を有し、ワゴン前方から後方方向に延在して配置している後方脚部３０がその先端方向において屈曲して更に下方向に延在した屈曲部延在部３４を有する。
従って後方脚部３０の先端は設置状態では地面に対して垂直方向例えば下方方向に延在している屈曲延在部３４を有するものである。
【００２３】
又、該後方脚部３０の屈曲延在部３４の先端にはキャスター３５を有する。
更に、前方脚部２０と後方脚部３０とが交差する点において回動自在に軸支されているものであり、この交差支点部５０において軸支されているものである。
【００２４】
尚、交差する前方脚部２０と後方脚部３０とが交差支点部５０により回動するものであり、後方脚部３０が両側の前方脚部２０間の間に入る程度、前方脚部２０同士間の間隔よりも後方脚部３０同士間の間隔が狭く構成されている。
もとよりお互いにずらして軸支するものでも、前方脚部２０の方を狭く構成するものであってもよい。
【００２５】
以上のように構成することにより前方脚部２０は交差支点部５０を軸として回動することができるものであり、特にアーム部４０によってトレイ１００の後方から離れて回動することとなる。
少なくとも両端を軸支しているアーム部４０によって前方脚部２０を移動させて閉じる方向に回動させた場合にトレイ１００の一端から離れることができると共に該トレイ１００を後部支点部２１を軸として前方脚部２０と平行に収納状態とすることができる。
【００２６】
即ち設置状態の際には収納部１０であるトレイ１００はトレイ１００を地面と水平に保つことができるが、収納状態に際しては、脚部を回動させてそれぞれ平行方向に移動させることとなるが、これに伴って該脚部２０、３０と平行方向にトレイ１００を回動して移動することができ、収納時の収納部であるトレイの幅を短くすることができると共に脚部の閉鎖によりワゴン台の幅を狭くして収納状態を形成できる。
尚、トレイ１００の下には引き出し部１０１を有する。  
更に前方脚部２０のそれぞれ屈曲部２３同士を横棹部２６で連結していると共に、後方脚部３０のそれぞれの屈曲部３３同士も横棹部３６で連結している。
【００２７】
これによりそれぞれ脚部の強度を高めることができると共に該棹部上部にトレイや籠等を必要に応じて配置できるものである。
尚、ストッパー３７も有しており、収納時の位置規制をしている。
尚、本図においてキャスター２５、３５は横方向に向いているが、これはキャスターの軸部分は回動自在に配設しているものであり、任意方向に回動して移動できるものである。
【００２８】
以上のように基本的には収納部１０と収納部１０の両側の後方方向から前方方向に設置した２つの前方脚部２０と、収納部１０の両側の前方方向から後方方向に設置した２つの後方脚部３０とを有し、前方脚部２０と後方脚部３０とはそれぞれが交差する点である交差支点部５０で回動自在に軸支し、更に前方脚部２０はアーム部４０を介して収納部１０と回動自在に軸支しており、更に後方脚部３０は収納部１０と前方支点部１２で回動自在に軸支しているものであって、前方脚部２０とアーム支点部２１でアーム部４０を軸支しているアーム部の他端部は収納部１０の後部支点部１１で回動自在に軸支しているものである。
【００２９】
この場合前方脚部２０にはワゴン台１０の後方方向に屈曲して下方向に延在した屈曲部延在部２３を有し、後方脚部にはワゴン台１０の前方方向に屈曲して下方向に延在した屈曲部延在部３３を有する。
この様に構成することにより、後方脚部３０と前方脚部２０とを閉じる即ち水平となる方向に回動することにより設置状態から収納状態に移行できるものである。
尚、収納部１０とはトレイや載置台のほか、理美容品や備品等を収納しておくことのできる収納部分を有するものであればよいものであり、本明細書上トレイとして及び引き出しとして明示するものである。
【００３０】
図２は、図１に示す設置状態から収納状態にするために前方脚部２０と後方脚部３０を閉じるために回動させ始めた状態の一例を示す図である。
従って設置状態から収納状態への移行の中間地点における状態、或いは収納状態から設置状態への移行の中間点における一状態を示す図である。
【００３１】
本ワゴン台１を収納状態にするため前方脚部２０と後方脚部３０との交差支点部５０を軸として両脚部を閉じる方向に移動されるものである。
この場合前方脚部２０はアーム部４０を介してトレイ１００と軸支しているものであり、アーム部４０とのアーム支点部２１に基づいて前方脚部２０は回動すると共にアーム部４０を介してトレイ１００の後部支点部１１によりアーム部４０が回動することとなる。
従って、トレイ１００も該軸を基に収納状態である脚部と水平方向に向かって回動することとなる。
【００３２】
後方脚部３０に関しても、交差支点部５０を軸に収納状態である前方脚部２０と水平となる方向に回動するものであるが、更に後方脚部３０の一端方向でトレイ１００の前方支点部１２で軸支されていることから該部分によりトレイ１００が該軸を基に収納状態である脚部と水平方向に回動することとなる。
尚、取っ手部２２により収納状態への移行や設置状態への移行に際して容易に前方脚部２０をもって回動による状態移行できるものである。
【００３３】
図３は、本考案に係る理美容用ワゴン台の収納状態の一例を示す図である。
図２に示すように脚部を移動すると本図に示す収納状態に移行できるものであり更に回動を進めると図３に示す収納状態となる。
【００３４】
即ち前方脚部２０と後方脚部３０とが交差支点部を介して回動し、それぞれ脚部同士が近接することができるものであり、例えば脚部の横棹部分２６、３６同士が接する程度近似することにより例えばこの横棹部分に設けたストッパー３７によりこれ以上の回動を回避して所定の収納状態に位置規制することができる。
尚、ストッパーは前方脚部２０と後方脚部３０のどちらに設けてもよいものである。
【００３５】
次に、この用に構成した場合、前方脚部２０と後方脚部３０とはそれぞれ屈曲部２３、３３を介して屈曲延在部２４、３４を有していることから、この屈曲延在部２４、３４がそれぞれ前方脚部２０にあっては後方方向に突出するものであり、後方脚部３０にあっては前方方向に突出することとなる。
【００３６】
従って双方のそれぞれの屈曲延在部２４、３４がそれぞれ前方と後方に突出することから両者間の間隔を一定程度有することができ、該両屈曲延在部２４、３４の存在により両脚部によって起立状態を構成できる。
尚、屈曲延在部２４、３４はそれぞれ任意の角度や長さを有すればよく、少なくとも収納状態においてそれぞれ前方と後方に任意の長さ突出するものであればよい。
これにより少なくとも離れた位置に４点の脚部の先端を位置させることができるものとなり、起立させることができる。
【００３７】
以上のように構成することによりトレイ１００の部分も脚部と水平方向に回動することができ、狭い幅での収納を可能とするものである。
この場合、この収納状態から設置状態にするにはこの流れの逆即ち前方脚部２０と後方脚部３０とを交差支点部５０を基準として回動させて開くことにより設置状態に移行できる。
【００３８】
図４は、トレイ１００下部に引き出し１０１を設けた一例を示す図であり、この様にトレイ下部に引き出し１０１を有していても、設置状態から第３図に示す収納状態にすることができる。
従って多様な収納を備えた理美容用ワゴン台を使いやすい設置状態で使用できると共に収納時には、収納場所を取らない幅の狭い状態である収納状態に収納できると共に該台を立設状態として収納状態を形成できるものである。
【００３９】
このことより部屋の片隅や多数のワゴン台を狭い場所に効率的に収納できると共に、立設状態での収納により簡単な収納とできる。
即ちキャスターを用いて収納状態の移動もできことから必要場所への移動もでき、更にはその状態から簡単に設置状態へ移行できる。
【００４０】
これからさらに設置状態から収納状態への移行の極めて簡単に行える極めて画期的であり効果の高い理美容用ワゴン台を提供できるものである。
【符号の説明】
【００４１】
１      理美容用ワゴン台
１０    収納部
１００  トレイ
１０１  引き出し
１１    後部支点部
１２    前部支点部
２０    前方脚部
２１    アーム支点部
２２    取っ手部
２３    屈曲部
２４    屈曲延在部
２５    キャスター
２６    横棹部
３０    後部脚部
３３    屈曲部
３４    屈曲延在部
３５    キャスター
３６    横棹部
３７    ストッパー
４０    アーム部
５０    交差支点部
【図１】
0003182142.tif 000003
【図２】
0003182142.tif 000004
【図３】
0003182142.tif 000005
【図４】
0003182142.tif 000006